(57)【要約】【課題】超音波発振器を用いた眼鏡洗浄器の有する欠点である、フレームのビスの緩みやフレーム自体の変色や割れを防止し、環境に優しく十分な洗浄効果を得る洗浄装置の提供。【解決手段】４０℃乃至６０℃の温水を貯留する洗浄液貯留槽（２）と、該洗浄液貯留槽（２）の上方に配置される眼鏡洗浄部（１）と、前記洗浄液貯留槽（２）及び眼鏡洗浄部（１）とは水密状態に設けられる制御操作部（３）とを備え、前記洗浄液貯留槽（２）は、温水の温度制御手段であるヒータ（２１）及び温度センサ（２３）を備え、前記眼鏡洗浄部（１）は、眼鏡（８）の左右のつる（８０）を折畳状態とし前記左右のつる（８０）における基端部（８３）を結ぶラインを中心軸として当該折畳状態の眼鏡（８）を回転保持する手段と、前記中心軸に平行して列設され、且つ、温水を噴射する少なくとも二以上の洗浄液噴射手段（５０）とを備えた眼鏡洗浄器を、解決手段とする。【選択図】図５
2005173452.tif 000002
【特許請求の範囲】
【請求項１】
眼鏡（８）の左右のつる（８０）を折畳状態として保持し、前記左右のつる（８０）における基端部（８３）を結ぶラインを中心軸として回転する当該折畳状態の眼鏡（８）の表裏面に対して、前記中心軸に平行して列設された少なくとも二以上の洗浄液噴射手段（５０）から、４０℃乃至６０℃の温水を噴射し、温水によって眼鏡（８）に付着した油分を除去するとともに、洗浄液噴射手段（５０）からの温水の水圧によって眼鏡（８）に付着した蛋白質を除去することを特徴とする眼鏡の洗浄方法。
【請求項２】
耐水性を備えた折畳保持手段（９）により、眼鏡（８）の折畳状態を保持することを特徴とする請求項１記載の眼鏡の洗浄方法。
【請求項３】
４０℃乃至６０℃の温水を貯留する洗浄液貯留槽（２）と、
該洗浄液貯留槽（２）の上方に配置される眼鏡洗浄部（１）と、
前記洗浄液貯留槽（２）及び眼鏡洗浄部（１）とは水密状態に設けられる制御操作部（３）とを備え、
前記洗浄液貯留槽（２）は、温水の温度制御手段であるヒータ（２１）及び温度センサ（２３）を備え、
前記眼鏡洗浄部（１）は、眼鏡（８）の左右のつる（８０）を折畳状態とし前記左右のつる（８０）における基端部（８３）を結ぶラインを中心軸として当該折畳状態の眼鏡（８）を回転保持する手段と、前記中心軸に平行して列設され、且つ、温水を噴射する少なくとも二以上の洗浄液噴射手段（５０）とを備えたことを特徴とする眼鏡洗浄器。
【請求項４】
眼鏡洗浄部（１）の底部には、活性炭フィルタ（１５）を上側として該活性炭フィルタ（１５）と金属製の細孔形成板（１１）とを重合して設け、使用済洗浄液を濾過して下方の洗浄液貯留槽（２）へ導入することを特徴とする請求項３記載の眼鏡洗浄器。
【発明の詳細な説明】
【技術分野】
【０００１】
本発明は、油分及び蛋白質等で汚染された被洗浄物を洗浄するための洗浄装置であり、特には、フレームと二枚のレンズから構成される一般的な眼鏡等の洗浄を行なうための洗浄装置に関するものである。
【背景技術】
【０００２】
従来、特に眼鏡の洗浄装置としては、超音波を洗浄手段として用いたものが広く知られており、上部に超音波振動子を装着し、内部に発信器及び電源部を組入れた超音波発生台と、該超音波発生台の上で上記超音波振動子に接触して載置された容器とからなる洗浄器において、上記容器の蓋の下面に眼鏡を引っ掛ける引掛部を設けたもの（例えば、特許文献１参照。）や、洗浄水槽と乾燥槽からなり、前記洗浄水槽には超音波発振器が備えられ、前記乾燥槽には乾燥用空気を強制的に槽内に供給する乾燥手段が備えられていることを特徴とする洗浄装置（例えば、特許文献２参照。）等が公知である。
【０００３】
【特許文献１】実開昭６１年１８２５２３号公報
【特許文献２】特開２００３−２５１２８８号公報
【発明の開示】
【発明が解決しようとする課題】
【０００４】
上記特許文献１及び特許文献２に開示される洗浄装置は、いずれも超音波発振器を使用して被洗浄物である眼鏡に振動を与え、眼鏡表面の汚れを遊離させるものであり、一定の洗浄効果を得ることができるものの、眼鏡に対して細かい振動を長時間与えるため、フレーム同士を繋ぐネジや、ノーズパッドとフレームとを繋ぐネジ等が緩みやすく、不慮のフレームの分解やネジの紛失を招来しやすい欠点があった。
【０００５】
また、フレームの材料にベッコウや合成樹脂が使用されている場合には、ベッコウや合成樹脂の材料が振動に対する耐久性を備えていないことから、当該ベッコウ製部品や合成樹脂製部品として用いられているフレーム自体が白濁したり、割れを生ずることがあった。）
【０００６】
本発明は以上の事情に鑑みてなされたものであり、超音波発振器を使用した従来の眼鏡洗浄器の有する欠点である、フレームのネジの緩みやフレーム自体の変色や割れを防止し、十分な洗浄効果を得る洗浄装置を提供することを課題とするものである。
【課題を解決するための手段】
【０００７】
本発明は、眼鏡の左右のつるを折畳状態として保持し、前記左右のつるにおける基端部を結ぶラインを中心軸として回転する当該折畳状態の眼鏡の表裏面に対して、前記中心軸に平行して列設された少なくとも二以上の洗浄液噴射手段から、４０℃乃至６０℃の温水を噴射し、温水によって眼鏡に付着した油分を除去するとともに、洗浄液噴射手段からの温水の水圧によって眼鏡に付着した蛋白質を除去することを特徴とする眼鏡の洗浄方法、及び、４０℃乃至６０℃の温水を貯留する洗浄液貯留槽と、前記洗浄液貯留槽の上方に配置される眼鏡洗浄部と、前記洗浄液貯留槽及び眼鏡洗浄部とは水密状態に設けられる制御操作部とを備え、前記洗浄液貯留槽は、温水の温度制御手段であるヒータ及び温度センサを備え、前記眼鏡洗浄部は、眼鏡の左右のつるを折畳状態とし前記左右のつるにおける基端部を結ぶラインを中心軸として当該折畳状態の眼鏡を回転保持する手段と、前記中心軸に平行して列設され、且つ、温水を噴射する少なくとも二以上の洗浄液噴射手段とを備えたことを特徴とする眼鏡洗浄器を、基本的な課題解決手段とするものである。
【発明の効果】
【０００８】
本発明によれば、左右のつるを折畳状態とした眼鏡の、前記左右のつるにおける基端部を結ぶラインを中心軸として回転する当該折畳状態の眼鏡の表裏面に対して、前記中心軸に平行して列設された少なくとも二以上の洗浄液噴射手段から、５０℃乃至６０℃の温水を噴射する方法によって、眼鏡の表裏面に付着した油分は、温水の有する５０℃乃至６０℃の温度によって容易に除去できるとともに、蛋白質の汚れは、ノズルから噴射される温水の水圧によって、蛋白質の汚れを、物理的に、効率良く除去することができる。
【０００９】
この際には、眼鏡を回転させながら複数の洗浄液噴射手段から温水を噴射させるため、眼鏡に対して様々な角度からの温水の噴射がなされることとなり、蛋白質の汚れの物理的な除去を効率的に行なうことができるのである。
【００１０】
また、本発明によれば、超音波を使用せずに、十分な洗浄効果を得ることができることから、繰返し洗浄を行なうことによるベッコウ製部品の割れ、合成樹脂材料の白濁や割れ、ネジの緩みや脱落、更には脱落後のねじの紛失等といった不具合を生ずることが無く、眼鏡を長期に亘って快適に使用することができる。
【００１１】
更に、温水のみで、十分な洗浄能力を発揮することが可能であることから、環境に優しい眼鏡洗浄器の提供を行なうことができる。
【発明を実施するための最良の形態】
【００１２】
本発明は、眼鏡の左右のつるを折畳状態として保持し、前記左右のつるにおける基端部を結ぶラインを中心軸として回転する当該折畳状態の眼鏡の表裏面に対して、前記中心軸に平行して列設された少なくとも二以上の洗浄液噴射手段から、４０℃乃至６０℃の温水を噴射することによって、極めて洗浄効果の高い眼鏡洗浄器を実現した。
【実施例】
【００１３】
（実施例に係る眼鏡洗浄器の構成）
図１は本発明の実施例に係る眼鏡洗浄器の開蓋状態における説明斜視図、図２は同実施例に係る眼鏡洗浄器の内部を透視した開蓋状態の説明斜視図、図３は同実施例に係る眼鏡洗浄器の正面図、図４は同実施例に係る眼鏡洗浄器の左側面図、図５は同実施例に係る眼鏡洗浄器の蓋部を省略した説明平面図、図６はレバーの構造を示し、（ａ）は通常状態、（ｂ）は内側へ押込んだ状態を示す拡大断面図、図７は同実施例に係る眼鏡洗浄器の配管及び配線を示す略図である。
【００１４】
（本実施例の概要）
本発明の実施例に係る眼鏡洗浄器は、図１乃至図４に示すように、幅約２６０ミリメートル、奥行き約２６０ミリメートル、高さ約３６０ミリメートル程度の略直方体状を有する眼鏡洗浄器で、台座部６上に眼鏡洗浄器本体７が配置され、眼鏡洗浄器本体７の上部に眼鏡を出入するための蓋部１２が設けられており、正面側の操作パネルにスイッチ類が設けられている。
【００１５】
（蓋部）
眼鏡洗浄器の上部に設けられる蓋部１２は、天板１２ｂと、正面側に下り勾配となる開閉板１２ａを有し、該開閉板１２ａの上端と天板１２ｂとは蝶番１４を介して連結されている。蓋部１２の開閉板１２ａの上には把手１３が設けられており、当該開閉板１２ａを持ち上げることで蓋部１２を開放できる。
【００１６】
（台座部）
また、最下部に位置する四本の脚６０を備えた台座部６の幅は、眼鏡洗浄器本体７の幅よりも大きくし、該台座部６の上部と眼鏡洗浄器本体７との間には、滴を受けるための滴受部６１を形成している。
【００１７】
本実施例に係る眼鏡洗浄器本体７は、主として、眼鏡８の洗浄を行なう眼鏡洗浄部１と、洗浄液である温水を貯留する洗浄液貯留槽２と、機器類の制御、操作を行なう制御操作部３とを備えており、洗浄液貯留槽２と制御操作部３とは、第一仕切壁２０を介して連設されており、当該洗浄液貯留槽２及び制御操作部３の上方には、眼鏡洗浄部１が配置されている。
【００１８】
（制御操作部の概要）
制御操作部３は、各モータなどの機器を制御するためのＣＰＵ等を備えた基板３３その他電気配線等からなる制御部３２を備えており、操作スイッチ類は図３に示すように、操作パネル３０として外部正面側から操作可能な状態に配置されている。尚、操作スイッチ類は、自動洗浄工程のスタート／ストップボタン３０１、眼鏡の単なる洗浄ではなく殺菌洗浄処理を行なう際に使用する殺菌選択ボタン３０２、所定の洗浄時間（３０秒、６０秒、１２０秒、１８０秒）の中から適宜洗浄を行なう時間を選択するための時間選択ボタン３０３、洗浄液（温水）温度調節ボタン３０４が設けられており、使用者に対して情報を表示するための現在の水温を示す水温表示部３０５、工程開始若しくは終了までの時間表示部３０６等が設けられている。
【００１９】
制御操作部３への洗浄液の漏洩を防止するため、眼鏡洗浄部１と制御操作部３とは、完全にシールされた第二仕切板１０によって遮断されている。また第二仕切板１０の一端は、前記第一仕切板２０と連結密着されており、制御操作部３は、本体の底板７０ｂ、正面板７１ｂ、左側壁板７２ｂ、右側壁板７３ｂ、第一仕切板２０、第二仕切板１０によって、水密状態で設けられている。
【００２０】
（フィルタと細孔形成板）
また、眼鏡洗浄部１と洗浄液貯留槽２とは遮断されておらず、上部に給水用モータ５２及び洗浄液噴射手段５０として内径９ミリメートルのノズル５０ａを備えた、二本の給水管５を通すための領域を確保した上で、ステンレス製の細孔形成板１１と該細孔形成板１１の上に重合されるシート状の活性炭フィルタを、眼鏡洗浄部と洗浄液貯留槽２との間に配置している。前記細孔形成板１１は、洗浄液貯留槽２の上部側壁に設けられた支持ステー２７上に載置されている。
【００２１】
（眼鏡洗浄部）
眼鏡洗浄部１は、上方に先述の蓋部１２が設けられており、外部から当該眼鏡洗浄部１内の様子が確認できるように、有色透明な合成樹脂板によって形成されている。図５に示すように、洗浄部内には、洗浄液（温水）を眼鏡に噴射するためのノズル５０ａを有する給水管５と、眼鏡８を掛止するための左側フック４２ａ及び右側フック４２ｂと、噴射された洗浄液の飛散を防止する飛散防止板１７と、使用済洗浄液を下方の洗浄液貯留槽２へ送液するための活性炭フィルタ１５及び細孔形成板１１を備えたものである。以下、眼鏡洗浄部１の各部について説明する。
【００２２】
（・飛散防止板）
眼鏡洗浄部１内における第二仕切板１０上には、前記ノズル５０ａに対向するように、前記給水管５におけるノズルから噴射される洗浄液（温水）の飛沫の拡散を防止するための飛散防止板１７を立設している。該飛散防止板１７は、図５に示すように、高さ１００ミリメートル、厚さ３ミリメートル程度の合成樹脂製の板材で、平面視略コの字状とし、正面側及び左右側面側への洗浄液飛沫の拡散を防止するものである。
【００２３】
（・給水管）
前記給水管５は、図７に示すように、下端側が洗浄液貯留槽２内、上端側が眼鏡洗浄部１内となるように設置してあり、内管５１ａ及び外管５１ｂからなる二重管構成で、上部には給水用モータ５２を備え、内管５１ａ内には、給水用モータ５２から動力伝達可能に下方へ延設されるシャフト５３と、シャフト５３の下端部に設けられるスクリュー５４とを備えた構成である。
【００２４】
給水用モータ５２からシャフト５３を介して動力を得たスクリュー５４が回転し、スクリュー５４直下を正圧とし、内管５１ａと外管５１ｂとの間（以下、管内水路５５という。）の下方を負圧とすることで、洗浄液貯留槽２内の温水を管内水路５５へ引込み、ノズル５０ａから温水を噴射させるものである。
【００２５】
また、眼鏡洗浄室１内となる蓋部１２の裏面には、第三飛散防止板１９を立設しており、これによって、蓋部１２における開閉板１２ａと、該開閉板１２ａに当接する正面板７１ａ、左側壁板７２ａ、右側壁板７３ａとの水密性を確保している。
【００２６】
（・フック及びレバー）
また、図５及び図６（ａ）に示すように、眼鏡洗浄部１における右側壁板７３ａと左側壁板７２ａには、同一中心軸上となる位置に、眼鏡８を係止するための右側フック４２ｂ及び左側フック４２ａが夫々設けられている。
【００２７】
右側壁板７３ａに設けられる右側フック４２ｂは、外部に突出する円柱状のレバー４１の先端部に設けられた摘み４３と、フック用シャフト４５ｂで連結されており、摘み４３を回転させることで、前記右側フック４２ｂを、前記中心軸を基準として回動することができる。また、レバー４１内には圧縮コイルバネ４４が設けられており、常に右側フック４２ｂを外側へ付勢している。
【００２８】
そして、図６（ｂ）に示すように圧縮コイルバネ４４のバネ弾性力に抗して内部側へ押し込むことによって、レバー４１の端部を、当該右側フック４２ｂもレバー４１の押し方向（即ち、左側フック４２ａに近づく方向）へ移動することができる。したがって、眼鏡を掛止させるには、先に左側フック４２ａに眼鏡の一方の基端部を引掛け、次いでレバー４１の摘み４３を回転させて、右側フック４２ｂの向きを最適な向きに合わせ、レバー４１を内側へ押込んで、右側フック４２ｂに眼鏡８の他方の基端部に引掛けると、圧縮バネ部材４４のバネ弾性力によって、右側フック４２ｂは外方へ移動し、左側フック４２ａ及び右側フック４２ｂによって眼鏡８が保持されることとなる。
【００２９】
左側壁板７２ａには、外部に眼鏡回転用モータ４０が設けられており、該眼鏡回転用モータ４０の回転軸と、眼鏡洗浄部１内の左側フック４２ａのフック用シャフト４５ａが同一軸線上として直結されている。尚、眼鏡回転用モータ４０は、外観上の体裁を良好とし、且つ、防水機能を付加するために、合成樹脂製のケース７５内に格納されている。
【００３０】
左側フック４２ａ、右側フック４２ｂとも合成ゴムからなり、各フック用シャフト４５ａ、４５ｂとの連結部分は、フック用シャフトを嵌入するために筒状に形成されている。
他方、フック用シャフト４５ａ、４５ｂは、その先端を螺刻して、ダブルナット４６にしている。ダブルナット４６のうち端部側に前記右側フック４２ｂ、左側フック４２ａの筒状部分を嵌め込むことによって、両者を連結する構成とする。先端側のナット４６ａのみに左側フック４２ａ及び右側フック４２ｂを取付ける構成としたことから、ダブルナット４６の位置を調節することで、フック位置の微調節を行なうことができる。
【００３１】
（・蓋開閉検知スイッチ）
また、眼鏡洗浄部１の外部上方には、蓋部１２の開放を検知するための蓋開放検知スイッチ１６を設けている。閉蓋状態においては、蓋開放検知スイッチの接点が蓋部１２の開閉板１２ａと接触して閉蓋検知状態となり、開蓋状態においては、開閉板１２ａが接点から離脱することによって、開蓋状態を検知することとなる。
【００３２】
以上に示した各種モータ、スイッチ類の配線は、全て防水処理がなされている。また、給水管５の背面側には、合成樹脂からなる平板状の第二飛散防止板１８を立設して、前記給水用モータ５２の配線を、該第二飛散防止板１８と背面板７４ａ、７４ｂとの間を通して、制御操作部３内へ導くものとすることにより防水処理を行ない、後に説明する一連の洗浄動作制御機能の可用性を確保している。
【００３３】
（洗浄液貯留槽）
洗浄液貯留槽２には、図７に示すように、前記した給水管５の下端側が配されるほか、洗浄液である温水の温度を５０℃乃至６０℃程度に保つためのヒータ２１、及び、水位を監視するためのレベルセンサ２２が設けられている。尚、前記レベルセンサ２２には、温度センサ２３が取付けられており、前記ヒータ２１の回路には、安全性を確保する観点からバイメタルを使用した過熱防止スイッチが取付けられている。また、洗浄液貯留槽２は、外部へ当該洗浄液を廃棄するための排水ドレン２５へ通じる排水口２４を備えている。
【００３４】
（サブフレームについて）
本実施例においては、図１及び図２に示すように、眼鏡洗浄部１内における右側壁板７３ａ、左側壁板７２ａ、正面壁板７１ａには、金属製のサブフレーム２６が設けられている。サブフレーム２６は、長尺の平板の長手方向に延びる中央ラインをプレス加工によって谷折して形成されるものである。
【００３５】
このうち眼鏡洗浄部１内における右側壁板７３ａ及び左側壁板７２ａに設けられるサブフレーム２６は、夫々上部の傾斜角度と同じ傾斜角度で設けられる上部側サブフレーム２６ａと、眼鏡洗浄部１の床面に平行する下部側サブフレーム２６ｂとがあり、当該部位において、前記した強度を確保するとともに、各壁板の構成材料である合成樹脂の歪みを抑える機能を発揮し、当該眼鏡洗浄器の品質を確保している。
【００３６】
（洗浄動作処理について）
次に、本発明の実施例に係る眼鏡洗浄器の洗浄動作処理について説明する。
洗浄液貯留槽２には洗浄液である水道水が貯留されており、洗浄被対象物となる眼鏡８は、左右のつる８０をその基端部８３から折畳状態として、必要に応じてつる８０同士等を（更には他のフレームを含めて）折畳保持手段９であるクリップ９ａ等の係止具で固定され、左側フック４２ａ及び右側フック４２ｂ間に、左右の眼鏡のつる８０の基端部８３が掛止保持された状態において、動作処理を行なう。
【００３７】
電源スイッチ７５が投入されると、温度センサ２３が動作し、洗浄液の温度を検知する。
制御操作部３における制御部３２は、液温が５０℃±１０℃となるまで、ヒータ２１による熱制御を行ない、洗浄液の温度が前記範囲となった状態で洗浄可能と判断し、操作パネル３０に設けられた洗浄可能ランプ３０７を点灯させる。
【００３８】
制御部３２に設定温度、設定時間が記録された状態において、蓋開閉検知スイッチ１６により蓋部１２が閉状態である条件を満たした上で、スタート／ストップスイッチの信号の入力により、当該入力された信号を受けた制御部３２は、洗浄処理を開始する。
【００３９】
図７に示すように、制御部３２が眼鏡回転用モータ４０、二基の給水用モータ５２を夫々稼動させると、前記二基の給水用モータ５２の動作によって、該給水用モータ５２からシャフト５３を介して動力を得たスクリュー５４が回転し、スクリュー直下を正圧とし、管内水路５５の下方を負圧とすることで、洗浄液貯留部２内の温水を管内水路５５へ引込み、ノズル５０ａから眼鏡８に対して温水を噴射させる。
【００４０】
眼鏡８は前記眼鏡回転用モータ４０の動力によって、該眼鏡８の左右の基端部を結ぶラインを中心軸として回転されていることから、回転が進むにつれ、順次眼鏡８の表裏面が、５０℃乃至６０℃の洗浄液（温水）の強力な噴射によって洗浄される。即ち、洗浄液が５０℃乃至６０℃の温度を持つことによって、眼鏡８に付着した油分の除去が容易となり、また、ノズル５０ａからの温水の水圧が強力であることによって眼鏡８に付着した蛋白質を物理的に除去することとなる。
【００４１】
眼鏡８に噴射された洗浄液は、油分、蛋白質の汚れを含むが、眼鏡洗浄部１の床に設けられた活性炭フィルタ１５によって、濾過洗浄され、下方に位置する洗浄液貯留槽２に供給される。
供給された洗浄液は、再度給水管５によってノズル５０ａへ送液されることとなり、洗浄液が眼鏡洗浄器１内を濾過循環することになる。
【００４２】
先の設定時間の経過により、制御部３２が、二基の給水用モータ５２及び眼鏡回転用モータ４０を停止させ、ブザーの報知を行なう。
【００４３】
（操作方法）
したがって、以上に示した本実施例に係る眼鏡洗浄器を使用する際には、洗浄液貯留槽２内に洗浄液となる水道水を溜めておき、眼鏡８は左右のつる８０をその基端部８３から折畳状態として、必要に応じてつる８０同士等を折畳保持手段９であるクリップ９ａ等の係止具で固定し、左側フック４２ａを眼鏡のつる８０の基端部８３近傍に掛止したのち、右側フック４２ｂも同様に反対側の眼鏡８のつる８０の基端部８３近傍に掛止し、電力が供給された状態において、好みの洗浄時間を選んでスタート／ストップボタン３０１を１回押すだけで、洗浄を行なうことができるのである。
【００４４】
尚、スタート／ストップボタン３０１を洗浄処理中に押すと、制御部３２はストップ信号を受けて、眼鏡か移転用モータ４０、給水用モータ５２及びヒータ２１の動作を停止させる。また、レベルセンサ２２によって、水位が規定値以下となった場合、制御部３２は、操作パネル３０内に設けられた水位ランプ３０９を点滅させるとともに、ブザーをオンにし、警報を鳴らし、水位が規定値以下の状態で、動作しないものとする。
【００４５】
本実施例に係る眼鏡洗浄器によって洗浄を行なう場合、洗浄済みの眼鏡８は、清潔な布を用いて水分を除去する。
【００４６】
（殺菌モードについて）
また、本実施例においては、殺菌モードとして、洗浄液温度を９５℃以上にまで加温し、５分間洗浄を行なうプログラムを備えており、制御操作部の外部側に設けられた殺菌ボタンを押すことによって、殺菌中ランプ３０８が点灯し、前記した洗浄動作処理を設定温度９５℃以上、５分間の設定で行なうものとしている。
【００４７】
尚、本発明においては、飛散防止板１７は必ずしも必要ではなく、また飛散防止板１７を設ける場合には、その形状や位置は、上記実施例に限らず、適宜選択して設置することができる趣旨である。
【００４８】
また、本実施例においては洗浄液噴射手段５０であるノズル５０ａの向きは固定した構成としているが、眼鏡８の左右の基端部を結ぶライン（中心軸）に平行した状態を確保した上で、給水管５の中心軸を基準として周方向に回転調節する構成とすることもできる。
【００４９】
更に、本実施例に係る眼鏡洗浄器においては、台座部６に滴受部６１を形成することにより、眼鏡洗浄器を使用する際に当該眼鏡洗浄器本体ａが濡れた場合であっても、滴を受けることによって、設置場所の床面を濡らさずに済み、快適に使用することができる。
【００５０】
また、本実施例に係る眼鏡洗浄器においては、清掃、部品交換等のメンテナンス時の作業の容易を図るべく、眼鏡洗浄部において相互に連結されている正面板７１ａ、左側壁板７２ａ、右側壁板７３ａ、背面板７４ａ及びこれらに付属する部品を一体として、一つのユニットとして、取外すことができる。
【００５１】
洗浄済みの眼鏡８は、上記したように、清潔な布を用いて水分を除去するが、先に示した特許文献２に開示される眼鏡洗浄器のように、乾燥機等の手段を本発明に係る眼鏡洗浄器の構成に加えることもできる。
【００５２】
給水管５は本実施例では二本として使用しているが、本発明においては必ずしもこれに限るものではなく、三本以上設けることもできる。
【００５３】
更に、本発明においては、洗浄液として温水を使用するものであるが、界面活性剤等を温水に加えて使用することもできる。
【産業上の利用可能性】
【００５４】
本発明は、主として眼鏡洗浄器として使用するものであるが、掛止部の形状を変更することによって、貴金属や宝石類の洗浄の用途にも使用することができる。
【図面の簡単な説明】
【００５５】
【図１】本発明の実施例に係る眼鏡洗浄器の開蓋状態における説明斜視図である。
【図２】本発明の実施例に係る眼鏡洗浄器の内部を透視した開蓋状態の説明斜視図である。
【図３】本発明の実施例に係る眼鏡洗浄器の正面図である。
【図４】本発明の実施例に係る眼鏡洗浄器の左側面図である。
【図５】本発明の実施例に係る眼鏡洗浄器の蓋部を省略した説明平面図である。
【図６】本発明の実施例に係る眼鏡洗浄器におけるレバーの拡大断面図である。
【図７】本発明の実施例に係る眼鏡洗浄器の配管及び配線を示す略図である。
【符号の説明】
【００５６】
１        眼鏡洗浄部
１０      活性炭フィルタ
１１      細孔形成板
１２      蓋部
１２ａ    開閉板
１２ｂ    天板
１３      把手
１４      蝶番
１５      活性炭フィルタ
１６      蓋開閉検知スイッチ
１７      飛散防止板
１８      第二飛散防止板
１９      第三飛散防止板
２        洗浄液貯留部
２０      第一仕切壁
２１      ヒータ
２２      レベルセンサ
２３      温度センサ
２４      排水口
２５      排水ドレン
２６      サブフレーム
２７      支持ステー
３        制御操作部
３０      操作パネル
３０１    スタート／ストップボタン
３０２    殺菌選択ボタン
３０３    時間選択ボタン
３０４    温度調節ボタン
３０５    水温表示部
３０６    時間表示部
３０７    洗浄可能ランプ
３０８    殺菌中ランプ
３０９    水位ランプ
３１      底板
３２      制御部
４０      眼鏡回転用モータ
４１      レバー
４２ａ    左側フック
４２ｂ    右側フック
４３      摘み
４４      圧縮バネ部材
４５ａ    フック用シャフト
４５ｂ    フック用シャフト
４６      ダブルナット
４６ａ    ナット
５        給水管
５０      洗浄液噴射手段
５０ａ    ノズル
５１ａ    内管
５１ｂ    外管
５２      給水用モータ
５３      シャフト
５４      スクリュー
５５      管内水路
６        台座部
６０      脚
６１      滴受部
７        眼鏡洗浄器本体
７０ａ    底板
７１ａ    正面板
７２ａ    左側壁板
７３ａ    右側壁板
７４ａ    背面板
７０ｂ    底板
７１ｂ    正面板
７２ｂ    左側壁板
７３ｂ    右側壁板
７４ｂ    背面板
７５      電源スイッチ
８        眼鏡
８０      つる
８１      フレーム
８２      ノーズパッド
８３      基端部
９        折畳保持手段
９ａ      クリップ
【図１】
2005173452.tif 000003
【図２】
2005173452.tif 000004
【図３】
2005173452.tif 000005
【図４】
2005173452.tif 000006
【図５】
2005173452.tif 000007
【図６】
2005173452.tif 000008
【図７】
2005173452.tif 000009